(57)【特許請求の範囲】
【請求項１】
回転軸に固定されたプリント配線基板と筐体側に固定されたプリント配線基板とがフレキシブル配線基板により接続された電子機器であって、
前記回転軸を含む回転部材側に、
前記フレキシブル配線基板を前記回転部材との接続部側に押圧する押圧部材が取り付けられていることを特徴とする電子機器。
【請求項２】
回転軸に固定されたプリント配線基板と筐体側に固定されたプリント配線基板とがフレキシブル配線基板により接続された電子機器であって、
前記回転軸を含む回転部材側に、
前記フレキシブル配線基板の前記回転軸に固定されたプリント配線基板との接続部近傍の主面が前記回転軸に固定されたプリント配線基板の主面方向と略一致するように、前記フレキシブル配線基板を押圧する押圧部材が取り付けられていることを特徴とする電子機器。
【請求項３】
前記フレキシブル配線基板と接する前記押圧部材の先端部分が曲面により構成されていることを特徴とする請求項１又は請求項２記載の電子機器。
【請求項４】
前記回転部材がレーダのアンテナ構成部品であることを特徴とする請求項１〜３のいずれかの項に記載の電子機器。
【発明の詳細な説明】
【０００１】
【発明の属する技術分野】
本発明は電子機器に関し、より詳細にはスキャンするためのアンテナ等の回転部材を有するレーダ等の電子機器に関する。
【０００２】
【従来の技術】
最近では、例えばその厚さが０．２ｍｍ程度の極めて薄い樹脂フィルムを含んで構成されたフレキシブル配線基板が用いられるようになってきている。このフレキシブル配線基板は極めて可撓性に富み、一定の範囲では自由に曲げ伸ばしすることができるため、電子機器を構成する動的な部材と固定的な部材とを接続するための接続用部品として用いられている。
【０００３】
図３（ａ）は上記フレキシブル配線基板が用いられた車載用のミリ波レーダの要部を示した水平断面図であり、（ｂ）は側面図である。
このレーダ３０では、箱形状の筐体１８の前面に回転部材を構成する平板状のアンテナ１１が立設されている。アンテナ１１の上部及び下部の中央には回転軸１２ａ、１２ｂが固定され、アンテナ１１上部に固定された回転軸１２ａは、筐体１８の上部前側に埋設されたベアリング（図示せず）を介して回転自在に支持されており、一方アンテナ１１下部に固定された回転軸１２ｂは筐体１８の下部前側に配設された駆動用モータ（図示せず）の回転軸に接続されている。そして、モータを所定の時間間隔で時計回り及び反時計回りの方向に繰り返し回転させることにより、アンテナ１１を所定角度の範囲内でスキャンさせることができるようになっている。
【０００４】
アンテナ１１背面の上側部にはアンテナ１１に略直角に支持部材１７が固定され、支持部材１７の他端にはアンテナ１１とほぼ平行に第１のプリント配線基板１４が支持、固定されている。この第１のプリント配線基板１４は上下方向に長い長方形形状をしており、下部には水平方向に延びる帯状のフレキシブル配線基板１５の一端が接続、固定されている。フレキシブル配線基板１５一端の接続部１５ａは厚手の樹脂板を含んで構成され、接続部１５ａでフレキシブル配線基板１５が第１のプリント配線基板１４の下部にビス止め（図示せず）されている。
【０００５】
フレキシブル配線基板１５はアンテナ１１の背面近くを通過した後アンテナ１１と逆方向に曲げられ、フレキシブル配線基板１５の他端はさらに下方に延設されて下端部１５ｂが形成され、下端部１５ｂは、第２のプリント配線基板１６にコネクタ１９を介して接続されている。第２のプリント配線基板１６は筐体１８に固定されている。
【０００６】
アンテナ１１は種々の電子部品を搭載し、第１のプリント配線基板１４とは、支持部材１７に配設された接続配線（図示せず）により接続され、さらに第１のプリント配線基板１４はフレキシブル配線基板１５を介して第２のプリント配線基板１６に接続されている。
【０００７】
上記のように構成されたレーダ３０では、アンテナ１１を所定角度の範囲内で回転させながらアンテナ１１より電磁波を発信し、反射された電磁波を受信することにより、レーダ３０の前方に存在する障害物（車両、人等）を検知することができるようになっている。
【０００８】
【発明が解決しようとする課題】
上記したレーダ３０においては、回転軸１２ａ、１２ｂを中心に周期的に所定角度の範囲内で回転するアンテナ１１と一体の第１のプリント配線基板１４と、筐体１８に固定された第２のプリント配線基板１６との接続を、フレキシブル配線基板１５により図っているが、この場合、第１のプリント配線基板１４下部におけるフレキシブル配線基板１５の接続部１５ａの耐久性が問題となる。
【０００９】
図４（ａ）はレーダ３０を構成するアンテナ１１が反時計回りの方向に所定角度まで回転した場合、（ｂ）は時計回りの方向に所定角度まで回転した場合をそれぞれ示した要部の水平断面図である。
【００１０】
この図４（ａ）、（ｂ）から明らかなように、アンテナ１１が回転している間、フレキシブル配線基板１５は常に変形し、特に接続部１５ａ側でその変形量が大きい。従って、フレキシブル配線基板１５が固定された接続部１５ａ近傍には周期的に繰り返し応力が作用する。該応力はフレキシブル配線基板１５を構成する樹脂フィルム及び配線の両方に作用する。従って、このレーダ３０の使用を長期間続けた場合、フレキシブル配線基板１５の接続部１５ａ近傍において破損や断線が発生し易いという課題があった。
【００１１】
本発明は上記課題に鑑みなされたものであり、回転軸に固定されたプリント配線基板と筐体側に固定されたプリント配線基板とがフレキシブル配線基板により接続された電子機器であって、該電子機器を長期間にわたって使用しても、前記フレキシブル配線基板の前記回転軸を含む回転部材側との接続部近傍に破損や断線の生ずる虞れのない電子機器を提供することを目的としている。
【００１２】
【課題を解決するための手段及びその効果】
上記目的を達成するために本発明に係る電子機器（１）は、回転軸に固定されたプリント配線基板と筐体側に固定されたプリント配線基板とがフレキシブル配線基板により接続された電子機器であって、前記回転軸を含む回転部材側に、前記フレキシブル配線基板を前記回転部材との接続部側に押圧する押圧部材が取り付けられていることを特徴としている。
【００１３】
上記電子機器（１）によれば、前記回転軸を含む前記回転部材側に前記押圧部材が取り付けられ、該押圧部材により前記フレキシブル配線基板が前記回転部材との接続部側に押圧されているので、前記回転部材が周期的に回転しても、前記フレキシブル配線基板の前記接続部から前記押圧部材に押圧されている箇所までの部分は殆ど変形しない。従って、前記フレキシブル配線基板の前記接続部近傍に応力が集中することはなく、前記電子機器を長期間使用し続けた場合でも、フレキシブル配線基板の接続部近傍に破損や断線が発生するのを防止することができる。
また、本発明に係る電子機器（２）は、回転軸に固定されたプリント配線基板と筐体側に固定されたプリント配線基板とがフレキシブル配線基板により接続された電子機器であって、前記回転軸を含む回転部材側に、前記フレキシブル配線基板の前記回転軸に固定されたプリント配線基板との接続部近傍の主面が前記回転軸に固定されたプリント配線基板の主面方向と略一致するように、前記フレキシブル配線基板を押圧する押圧部材が取り付けられていることを特徴としている。
上記電子機器（２）によれば、前記回転軸を含む回転部材側に取り付けられた前記押圧部材により前記フレキシブル配線基板が押圧されて、前記フレキシブル配線基板の前記回転軸に固定されたプリント配線基板との接続部近傍の主面が前記回転軸に固定されたプリント配線基板の主面方向と略一致するようになっているので、前記回転部材が周期的に回転しても、前記フレキシブル配線基板の前記接続部から前記押圧部材に押圧されている箇所までの部分は殆ど変形しない。従って、前記フレキシブル配線基板の前記接続部近傍に応力が集中することはなく、前記電子機器を長期間使用し続けた場合でも、フレキシブル配線基板の接続部近傍に破損や断線が発生するのを防止することができる。
【００１４】
また本発明に係る電子機器（３）は、上記電子機器（１）又は（２）において、前記フレキシブル配線基板と接する前記押圧部材の先端部分が曲面により構成されていることを特徴としている。
【００１５】
上記電子機器（３）によれば、前記押圧部材の先端部分が曲面により構成されているので、前記回転部材が周期的に回転し、前記押圧部材と前記フレキシブル配線基板との接触位置が多少移動しても、前記押圧部材は前記フレキシブル配線基板上をスムーズにすべり、前記押圧部材と前記フレキシブル配線基板との摩擦により前記フレキシブル配線基板が傷付くのを防止することができる。
【００１６】
また、本発明に係る電子機器（４）は、上記電子機器（１）〜（３）のいずれかにおいて、前記回転部材がレーダのアンテナ構成部品であることを特徴としている。
【００１７】
上記電子機器（４）によれば、前記回転部材がレーダのアンテナ構成部品で、アンテナを繰り返しスキャン動作させても、前記アンテナ構成部品と前記フレキシブル配線基板との接続部近傍に破損が発生する虞れはなく、従って、前記レーダを長期にわたって安定的に使用することができる。
【００１８】
【発明の実施の形態】
以下、本発明に係る電子機器の実施の形態を図面に基づいて説明する。
図１（ａ）は実施の形態に係る車載用のミリ波レーダ（電子機器）の要部を模式的に示した水平断面図であり、（ｂ）は側面図である。また、図２（ａ）はレーダ１０を構成するアンテナ１１が反時計回りの方向に所定角度まで回転した場合、（ｂ）は時計回りの方向に所定角度まで回転した場合をそれぞれ示した要部の水平断面図である。
【００１９】
実施の形態に係るレーダ１０においては、回転軸１２ｂにフレキシブル配線基板１５を第１のプリント配線基板１４側に押圧する押圧部材１３が取り付けられている他は、図３に示したレーダ３０と略同様に構成されている。そこで、ここでは、押圧部材１３及び押圧部材１３に関連する部分についてのみ説明することとする。
【００２０】
押圧部材１３の取り付けは、アンテナ１１及び回転軸１２ｂに押圧部材１３を接着又はネジ止め等により取り付けてもよいが、回転軸１２ｂに押圧部材１３を一体成形しておく方が望ましい。
【００２１】
押圧部材１３の長さは、フレキシブル配線基板１５の接続部１５ａ近傍の主面が第１のプリント配線基板１４の主面方向となるべく一致するような角度になるように押圧することができる長さが好ましい。
【００２２】
また、押圧部材１３はフレキシブル配線基板１５を押圧しているため、フレキシブル配線基板１５と常に接触しており、また、図２（ａ）、（ｂ）に示したように、第１のプリント配線基板１４が固定されたアンテナ１１は、常に、所定角度の範囲内で回転しているので、押圧部材１３の先端部分は、フレキシブル配線基板１５表面に接触した状態で、絶えず接触部分が移動する。
【００２３】
フレキシブル配線基板１５は、通常、Ｃｕ等の配線材料とポリイミド等の樹脂材料から構成されており、前記樹脂材料はある程度の耐摩耗性は有するが、長期間に渡って表面が擦られると傷付き、破損する虞れもある。
【００２４】
従って、押圧部材１３のフレキシブル配線基板１５と接触する先端部分１３ａは、曲面により構成されていることが望ましく、押圧部材１３の形成材料も潤滑性に優れたフッ素樹脂等であることが望ましい。
【００２５】
本実施の形態に係るレーダ（電子機器）１０によれば、回転軸１２ａ、１２ｂにアンテナ１１を介して固定され、所定の角度範囲で回転する第１のプリント配線基板１４と筐体１８側に固定された第２のプリント配線基板１６とがフレキシブル配線基板１５により接続されていても、アンテナ１１及び回転軸１２ｂに押圧部材１３が取り付けられ、押圧部材１３によりフレキシブル配線基板１５が第１のプリント配線基板１４側に常に押圧されているので、アンテナ１１が周期的に回転しても、フレキシブル配線基板１５の接続部１５ａから押圧部材１３と接触している箇所までの部分は殆ど変形しない。従って、フレキシブル配線基板１５の接続部１５ａに応力が集中することはなく、このレーダ１０を長期間使用し続けた場合でも、フレキシブル配線基板１５の接続部１５ａ近傍に破損や断線が発生するのを防止することができる。
【００２６】
また、本実施の形態に係るレーダ（電子機器）１０によれば、押圧部材１３の先端部分１３ａが曲面により構成されているので、アンテナ１１が周期的に回転し、押圧部材１３の先端部１３ａとフレキシブル配線基板１５との接触位置が多少移動しても、先端部１３ａとの摩擦によりフレキシブル配線基板１５が傷付くのを防止することができる。
【００２７】
上記実施の形態に係るレーダ１０においては、押圧部材１３をアンテナ１１及び回転軸１２ａに取り付けているが、押圧部材１３を必ずしも回転軸１２ａを含む部分に取り付ける必要はなく、押圧部材１３をアンテナ１１や第１のプリント配線基板１４に取り付けてもよい。
【００２８】
また、本発明に係る電子機器は上記実施の形態に係る車載用のミリ波レーダ１０に限定されるものではなく、回転軸を中心として所定の角度範囲内で回転するプリント配線基板と筐体側に固定されたプリント配線基板とがフレキシブル配線基板により接続された構成の電子機器であれば、どのような種類のものであってもよい。すなわち、上記構成の電子機器の前記プリント配線基板を含む回転部材側に、前記フレキシブル配線基板を前記回転部材との接続部側に押圧する押圧部材を取り付けることにより上記した本発明の効果を奏することができ、耐久性に優れた電子機器を構成することができるのである。
【図面の簡単な説明】
【図１】（ａ）は本発明の実施の形態に係る電子機器（レーダ）の要部を模式的に示した水平断面図であり、（ｂ）は側面図である。
【図２】（ａ）は実施の形態に係る電子機器（レーダ）を構成するアンテナが反時計回りの方向に所定角度まで回転した場合、（ｂ）は時計回りの方向に所定角度まで回転した場合をそれぞれ示した要部の水平断面図である。
【図３】（ａ）は従来の電子機器（レーダ）の要部を模式的に示した水平断面図であり、（ｂ）は側面図である。
【図４】（ａ）は従来の電子機器（レーダ）を構成するアンテナが反時計回りの方向に所定角度まで回転した場合、（ｂ）は時計回りの方向に所定角度まで回転した場合をそれぞれ示した要部の水平断面図である。
【符号の説明】
１０  レーダ（電子機器）
１１  アンテナ
１２ａ、１２ｂ  回転軸
１３  押圧部材
１３ａ  先端部
１４  第１のプリント配線基板
１５  フレキシブル配線基板
１５ａ  接続部
１６  第２のプリント配線基板
１８  筐体
【図１】
0003788852.tif 000002
【図２】
0003788852.tif 000003
【図３】
0003788852.tif 000004
【図４】
0003788852.tif 000005